(57)【要約】      （修正有）【課題】天井面直取付形の照明器具について、定格電力の異なる蛍光ランプの器具部品の共用化、及び、種類の異なる放電灯を適合負荷とし、使用する放電灯を自由に選択できる照明器具を提供する。【解決手段】照明器具１０は、環状の放電灯１２，１３を光源とし、放電灯１２，１３を点灯・制御させる放電灯点灯装置１６を具備し、天井面７１の配線設備から商用電源の供給を受ける。放電灯点灯装置１６は、放電灯１２，１３の中心に配置され、放電灯点灯回路部１６を構成する電子部品を実装したプリント基板が天井面７１に対し垂直になるように配置され、放電灯点灯装置１６からの点灯電力を放電灯１２、１３に供給するランプソケット１７および放電灯１２，１３のランプ支持部品１８，１９を、定格電力の異なる放電灯１２，１３のそれぞれの形に合わせて可動可能な補機移動手段を備え、定格電力の異なる放電灯１２，１３を適合負荷として点灯・制御可能である。【選択図】図１
2010027566.tif 000002
【特許請求の範囲】
【請求項１】
環状の放電灯を光源とし、前記放電灯を高周波点灯・制御させる放電灯点灯装置を具備し、屋内の天井面に取り付けられ、前記天井面に予め配置された配線設備からの商用電源の供給を器具本体において受ける円形の照明器具であって、
前記放電灯点灯装置は、前記環状の放電灯の中心に配置され、放電灯点灯回路部を構成する電子部品を実装したプリント基板が施工状態において前記天井面に対し垂直になるように配置され、
少なくとも、前記放電灯点灯装置からの点灯電力を前記環状の放電灯に供給するランプソケットおよび前記環状の放電灯を前記器具本体内に固定するランプ支持部品を、定格電力の異なる前記環状の放電灯のそれぞれの形に合わせて可動可能な補機移動手段を備え、
複数の定格電力の異なる前記環状の放電灯を適合負荷として点灯・制御可能であることを特徴とする照明器具。
【請求項２】
前記放電灯点灯装置は、複数の定格電力の異なる前記環状の放電灯に応じて、前記環状の放電灯との相対的な高さを変更可能なことを特徴とする請求項１記載の照明器具。
【請求項３】
前記放電灯点灯装置は、外郭となるケースを備え、前記ケースは、前記天井面に配置された配線設備に受電接続されることにより前記商用電源の供給を受ける一対の引掛刃を備えていることを特徴とする請求項１または２記載の照明器具。
【発明の詳細な説明】
【技術分野】
【０００１】
本発明は、環状の放電灯を点灯・制御する放電灯点灯装置を備えた照明器具に関し、特に複数種の定格電力の異なる放電灯を適用できる照明器具に関する。
【背景技術】
【０００２】
従来の照明器具の一例として、２重管の環状蛍光灯を制御する放電灯点灯装置がランプ内径に沿うように配置した照明器具が知られている（例えば、特許文献１参照）。
このような照明器具は、器具本体のボディーとカバーとの間に放電灯点灯装置のプリント基板を組み付け、カバーに有する支持具に蛍光灯を取付け、器具本体を天井面の引掛シーリングに取り付けている。
【０００３】
従来の照明器具の他の一例として、天井に配設された配線装置（所謂、引掛シーリングや引掛ローゼット等と称されるもの）と電気的接続がなされる引掛刃を備えた放電灯点灯装置構成する回路部品の自己発熱と、放電灯から発せられる熱とを考慮した照明器具が知られている（例えば、特許文献２参照）。
このような照明器具は、放電灯点灯装置を構成する回路部品を実装したプリント基板が天井面と並行に位置するように配置されている。
【０００４】
従来の照明器具のさらに他の一例として、複数の定格電力の異なる放電灯を点灯可能な照明器具が知られている（例えば、特許文献３参照）。
このような照明器具は、口金形状がほぼ同一で異なる消費電力の片口金放電灯を使用する場合に、ソケットをずらすことにより、単一のソケットを用いて異なる消費電力の蛍光ランプを点灯させるようにしている。
【特許文献１】特開２０００−２０７９３１号公報（図３、段落番号００２４）
【特許文献２】特開２００５−２０９４７７号公報（図１、段落番号０００７）
【特許文献３】特開２００１−２７３９９０号公報（図１６、段落番号００５２，００５３）
【発明の開示】
【発明が解決しようとする課題】
【０００５】
通常、天井直付けの照明器具のうち、一般住宅の居室の主照明として用いられるものは、居室に予め設置されている配線設備（所謂、引掛シーリングや引掛ローゼット等と呼称されるもの、以下、引掛シーリングと言う。）により電気的接続、構造的固定を行うものがほとんどである。
この場合、引掛シーリングは部屋の中心等、照明を設置するのにもっとも適していると考えられるポイントに設置されており、そこに取り付けられる照明器具は引掛シーリングが中心となるように取り付けられるのが一般的である。
さらに、一般住宅の居室の主照明としては、一個の照明器具で部屋を均一に照らすという目的から、環形の蛍光灯がよく用いられている。
このように、一般住宅の居室主照明器具は環形ランプを用い、その器具中央部分で引掛シーリングにより取り付けられるというものが一般的であり、そのために器具の中心部分は屋内天井画に配設された引掛シーリングとの電源接続および器具固定の役割を果たす取り付け機構部分に占有され、放電灯点灯装置はこの中心部分を除いた放電灯の内径内に配置されている。
【０００６】
ところが、上記特許文献１の照明器具に定格電力の異なる放電灯（１００型蛍光灯および７０型蛍光灯）での器具展開を考えた場合、そのランプ外形寸法の違いにより、ランプを固定する部品、即ち、ランプソケットとランプ支持部品の設置場所が異なり、器具本体を各ランプ固有の仕様にしなくてはならない。
つまり、１００型蛍光灯に比べて７０型蛍光灯はランプ外径が小さくなるのに伴い、ランプソケットの位置を変更したり、ランプ支持具の位置を変更したりしなければならないばかりか、放電灯点灯装置の設置スペースの問題があり、器具構成部材を共用することができない。
【０００７】
上記特許文献２の照明器具においては、点灯装置を構成する回路部品が実装されたプリント基板が天井面と並行に位置する場合、負荷の高出力化（ランプの定格電力が大きくなった場合）に伴い、回路部品やプリント基板が大型化すると、相対的にランプに近づくこととなり、ランプからの熱の影響に対して何らかの保護手段が必要となってくる。
また、この照明器具においては、回路部品やプリント基板の大型化により、一般ユーザーが引掛刃を取付けようとする際に非常に見え難く作業しづらくなるなどの課題があった。特に一般住宅向けの居室照明は居室の略中央の天井面に１灯のみ配置されるのが一般的であり、その場合、必要な照度を得るために定格電力７０〜１００Ｗ程度の比較的出力の大きい蛍光灯を光源とする必要がある。そのため、放電灯点灯装置においては点灯回路を構成する各電子部品の発熱、回路内に発生する電圧の大きさ等を考慮すると、各電子部品およびプリント基板が大型化することになり、上記した取り付け作業性の問題と合わせて、居室主照明器具に用いることが困難であった。
【０００８】
上記特許文献３の照明器具においては、同一器具での定格電力、形状等、種類の異なる蛍光灯を適合負荷とすることを実現してはいるものの、環状の蛍光灯を光源とした天井直取付け器具への展開では蛍光ランプとその点灯装置の位置関係による課題がある。具体的には、特許文献３の照明器具は、天井埋め込みのため、放電灯点灯装置はほぼ別置されている。そのため、定格電力、形状等、種類の異なる蛍光ランプが取り付けられるような構造のみを考えればよい。
一方、環状の蛍光灯を光源とした天井直取付け器具では、器具中心部分が引掛シーリングの接続構造部分に占有され、蛍光灯は、そこを中心に配置される。天井塵取り付けの照明器具に限らず、照明器具は、よりコンパクトで空間を圧迫しないことが求められるため、必然的に点灯装置に与えられるのは接続構造部分と蛍光ランプとの間にあるスペースのみであり、定格電力、形状等、種類の異なる蛍光ランプに合わせて２箇所にランプソケットを配置するなどの方法は、設置スペースの問題から非常に困難である。
加えて、２箇所にランプソケットを配置するなどの方法には部品点数が多くなってしまうという不利が生じることは言うまでもない。
【０００９】
本発明は、前述した要望を満たすためになされたもので、その目的は、環状の放電灯を光源とする天井面直取り付け形の照明器具について、定格電力の異なる蛍光ランプを負荷とした照明器具間での器具部品の共用化を図ること、及び、定格電力、形状等、種類の異なる放電灯を適合負荷とし、使用者が所望の電力、効率、ランプコスト等にあわせて使用する放電灯を自由に選択でき、ランプイメージの悪化を抑制することができる照明器具を提供することにある。
【課題を解決するための手段】
【００１０】
本発明の照明器具は、環状の放電灯を光源とし、前記放電灯を高周波点灯・制御させる放電灯点灯装置を具備し、屋内の天井面に取り付けられ、前記天井面に予め配置された配線設備からの商用電源の供給を器具本体において受ける円形の照明器具であって、
前記放電灯点灯装置は、前記環状の放電灯の中心に配置され、放電灯点灯回路部を構成する電子部品を実装したプリント基板が施工状態において前記天井面に対し垂直になるように配置され、
少なくとも、前記放電灯点灯装置からの点灯電力を前記環状の放電灯に供給するランプソケットおよび前記環状の放電灯を前記器具本体内に固定するランプ支持部品を、定格電力の異なる前記環状の放電灯のそれぞれの形に合わせて可動可能な補機移動手段を備え、
複数の定格電力の異なる前記環状の放電灯を適合負荷として点灯・制御可能であることを特徴とする。
【００１１】
本発明においては、放電灯点灯装置と放電灯との距離を広く確保できるため、定格電力および外径の異なる環状の放電灯をそれぞれ配置するスペースを確保できる。
よって、放電灯点灯装置が、点灯している放電灯自体から受ける熱の影響を低減することができ、放電灯点灯装置の使用温度環境を低くできるため、信頼性を向上させて寿命の長い照明器具を得ることができる。
【００１２】
本発明においては、補機移動手段を切換え作動させることにより、ランプソケットおよびランプ支持部品を定格電力の異なる複数の放電灯に適宜合わせて配置することができる。
よって、単一構造で、定格電力、形状等、種類の異なる放電灯を適合負荷とすることができ、使用者が所望の電力、効率、ランプコスト等にあわせて使用する放電灯を自由に選択することができる。
【００１３】
本発明の照明器具は、前記放電灯点灯装置は、複数の定格電力の異なる前記環状の放電灯に応じて、前記環状の放電灯との相対的な高さを変更可能なことを特徴とする。
【００１４】
本発明においては、外径の小さい環状の放電灯を取り付けた際、中心に配置した放電灯点灯装置の陰影が大きくなって点灯中の照明器具におけるランプイメージ悪化につながることがなくなり、ランプイメージの悪化を抑制することができる。
【００１５】
本発明の照明器具は、前記放電灯点灯装置は、外郭となるケースを備え、前記ケースは、前記天井面に配置された配線設備に受電接続されることにより前記商用電源の供給を受ける一対の引掛刃を備えていることを特徴とする。
【００１６】
本発明においては、天井面に配置されている配線設備に受電接続される一対の引掛刃をケースの外郭に備えることにより、放電灯点灯装置を環状の放電灯の中心に配置しても照明器具の取付け時等の施工性を阻害することがない。
【発明の効果】
【００１７】
本発明の照明器具によれば、放電灯点灯装置は、環状の放電灯の中心に配置され、放電灯点灯回路部を構成する電子部品を実装したプリント基板が施工状態において天井面に対し垂直になるように配置され、少なくとも、放電灯点灯装置からの点灯電力を環状の放電灯に供給するランプソケットおよび環状の放電灯を器具本体内に固定するランプ支持部品を、定格電力の異なる環状の放電灯のそれぞれの形に合わせて可動可能な補機移動手段を備え、複数の定格電力の異なる環状の放電灯を適合負荷として点灯・制御可能である。
これにより、環状の放電灯を光源とする天井面直取り付け形の照明器具について、定格電力の異なる蛍光ランプを負荷とした照明器具間での器具部品の共用化を図ること、及び、定格電力、形状等、種類の異なる放電灯を適合負荷とし、使用者が所望の電力、効率、ランプコスト等にあわせて使用する放電灯を自由に選択でき、ランプイメージの悪化を抑制することができる照明器具を得ることができるという効果を有する。
【発明を実施するための最良の形態】
【００１８】
以下、本発明の実施形態に係る照明器具について、図面を参照して説明する。
【００１９】
本発明の一実施形態の照明器具１０は、丸型であって天井面７１に並行に配置される器具本体１１と、選択的に適用する環状の第１型蛍光灯（２重管環状形蛍光灯）１２，１３および環状の第２型蛍光灯（２重管環状形蛍光灯）１４，１５と、環状の蛍光灯１２，１３、１４，１５の中心に配置された放電灯点灯装置１６と、放電灯点灯装置１６からの点灯電力を環状の蛍光灯１２，１３、１４，１５に供給するランプソケット１７と、環状の蛍光灯１２，１３、１４，１５を把持する複数のランプ支持部品１８，１９，２０と、ランプソケット１７およびランプ支持部品１９，２０を移動させるための補機移動手段２１と、複数の定格電力の異なる環状の蛍光灯１２，１３、１４，１５に応じて放電灯点灯装置１６の環状の蛍光灯１２，１３、１４，１５との相対的な高さを変更可能な点灯装置移動手段２２と、蛍光灯１２，１３，１４，１５の光を拡散させるための半透明のグローブ２３と、を備えている。
この照明器具１０は、放電灯点灯装置１６を天井面７１に予め配設されている不図示の引掛シーリングに電気的に接続することにより、天井面７１に取り付けられる。
【００２０】
図１に示すように、器具本体１１は、その中央部にホルダ組付け用のホルダ孔２４を有する。ホルダ孔２４には、点灯装置移動手段２２を固定したホルダ２５が組み付けられており、点灯装置移動手段２２に放電灯点灯装置１６が組み付けられている。
【００２１】
ランプソケット１７は、器具本体１１の中心位置Ｃの外周側に位置しており、複数の３個のうちの１個のランプ支持部材１８を固定している。ランプソケット１７は、電線２６を通じて放電灯点灯装置１６に電気的に接続されている。
【００２２】
図２にも示すように、複数の３個のうちの残りの２個のランプ支持部品１９，２０は、ランプソケット１７に対して、円周方向に１２０度の角度範囲を置いて配置されている。
【００２３】
補機移動手段２１は、器具本体１１と、ランプソケット１７に固定されたランプ支持部材１８を除くランプ支持部材１９，２０と、の間に配置されており、具体的には、円周方向に１２０度の角度範囲を置いて器具本体１１の中心位置Ｃから外周に向けて切除された３個のガイド溝２７，２８，２９である。
【００２４】
ランプソケット１７は、ガイド溝２７に支持されながら、外周位置Ａ１と内周位置Ｂ１との間を移動することができる。このとき、ランプ支持部材１８はランプソケット１７とともに移動する。
【００２５】
ランプ支持部材１９，２０は、ガイド溝２８，２９に支持されながら、外周位置Ｂ１と内周位置Ｂ２との間を移動することができる。このとき、ランプ支持部材１９，２０は、ランプソケット１７と同一円周上に配置される。
【００２６】
図３にも示すように、点灯装置移動手段２２は、放電灯点灯装置１６の器具本体１１に対する位置を、器具本体１１から離れる位置Ｄ１と、器具本体１１に近づく位置Ｄ２と、の間で段階的に移動させることができる。
【００２７】
図４にも示すように、放電灯点灯装置１６は、長方形の第１プリント基板３０と、同じく長方形の第２プリント基板３１と、を備えている。
【００２８】
第１プリント基板３０は、その短辺３２を天井面７１に接するように配置しており、その長辺３３を天井面７１に対し垂直になるように配置している。
【００２９】
第１プリント基板３０は、ラインフィルタ及びコンデンサからなりコネクタを介して商用電源に接続する電源帰還ノイズ低減用のフィルタ回路と、ダイオードブリッジからなる整流回路と、スイッチング素子，チョークコイル，ダイオード及びコンデンサで構成され商用電源からの入力電流歪率を低減するための昇圧チョッパ回路と、平滑コンデンサを並列接続した平滑回路と、一対のスイッチング素子，チョークコイル，出力用のトランス，予熱電流供給用のトランス，コンデンサで構成され平滑回路から出力される直流出力を高周波の交流出力に変換するインバータ回路と、昇圧チョッパ回路のスイッチング素子をオンオフ制御するチョッパ制御回路と、インバータ回路のスイッチング素子をオンオフするための制御信号を作成するインバータ制御回路と、インバータ制御回路からの制御信号に応じて各スイッチング素子をオンオフ駆動するドライバ回路と、チョッパ制御回路，インバータ制御回路及びドライバ回路の動作電源を供給する電源回路と、電線２６を接続するコネクタ３４，３５と、からなる複数の電子部品３６を実装した放電灯点灯回路部３７を有する。
【００３０】
第２プリント基板３１は、第１プリント基板３０の下方の短辺３８側に、第１プリント基板３０に直交するように床面に対向して配置されている。
【００３１】
第２プリント基板３１には、その床面側に、受光素子３９と、常夜灯用のＬＥＤ４０と、赤外線リモコン信号のチャンネル切替えを行うための操作スイッチ４１と、を実装している。
【００３２】
図５、図６にも示すように、放電灯点灯装置１６は、放電灯点灯回路部３７をケース４２に収容している。ケース４２は、外郭の上面４３に一対の引掛刃４４をそれぞれ突出形成している。一対の引掛刃４４は、放電灯点灯回路部３７のコネクタ３４，３５にそれぞれ接続されている。
【００３３】
一対の引掛刃４４は、天井面７１に配置されている引掛シーリングに受電接続されることにより、放電灯点灯装置１６に商用電源を電気的に接続する。
【００３４】
このような照明器具１０は、補機移動手段２１により、ランプソケット１７を外周位置Ａ１に、ランプ支持部材１９，２０を外周位置Ａ２にそれぞれ配置し、点灯装置移動手段２２により、放電灯点灯装置１６を位置Ｄ１にすることにより、ランプソケット１７のランプ支持部材１８と、ランプ支持部材１９，２０とが、第１型蛍光灯１２，１３の外径寸法に合うように設定され、放電灯点灯装置１６が器具本体１１から離れて配置される。
これにより、外径の大きい第１型蛍光灯１２，１３を適合負荷として適用することができる。
そして、第１型蛍光灯１２，１３の点灯に伴う陰影（図３参照）は、グローブ２３に接触しない範囲Ｅ１に設定される。
【００３５】
次に、照明器具１０に、第１型蛍光灯１２，１３に代えて第２型蛍光灯１４，１５を適用する場合について説明する。
【００３６】
図７、図８、図９にも示すように、補機移動手段２１により、ランプソケット１７を外周位置Ａ１から内周位置Ａ２に、ランプ支持部材１９，２０を外周位置Ａ２から内周位置Ｂ２にそれぞれ変更配置し、点灯装置移動手段２２により、放電灯点灯装置１６を位置Ｄ１から位置Ｄ２に変更することにより、ランプソケット１７のランプ支持部材１８と、ランプ支持部材１９，２０とが、第２型蛍光灯１４，１５の外径寸法に合うように設定される。
これにより、外径の小さい第２型蛍光灯１４，１５を適合負荷として適用することができる。
そして、第２型蛍光灯１４，１５の点灯に伴う陰影は、グローブ２３に接触しない範囲Ｅ２に設定される。
【００３７】
図１０にも示すように、このとき、点灯装置移動手段２２により、放電灯点灯装置１６を位置Ｄ１のままにした場合、第２型蛍光灯１４，１５の点灯に伴う陰影が、グローブ２３に接触する範囲Ｅ３になってランプイメージ悪化につながる。そのため、点灯装置移動手段２２により、放電灯点灯装置１６を位置Ｄ２に変更することにより、ランプイメージの悪化を抑制することができる。
【００３８】
次に、本発明に適用する放電灯点灯装置１６の変形例について説明する。
【００３９】
図１１、図１２に示すように、本変形例では、上述した第２プリント基板３１を適用しておらず、第１プリント基板３０は、その長辺３３を天井面７１に接するように配置しており、その短辺３８を天井面７１に対し垂直になるように配置している。
【００４０】
前述した一実施形態の照明器具１０によれば、放電灯点灯装置１６と蛍光灯１２，１３、１４，１５との距離を広く確保でき、定格電力および外径の異なる環状の蛍光灯１２，１３、１４，１５をそれぞれ配置するスペースを確保できる。
これにより、放電灯点灯装置１６が、点灯している蛍光灯１２，１３、１４，１５自体から受ける熱の影響を低減することができ、放電灯点灯装置１６の使用温度環境を低くできるため、信頼性を向上させて寿命の長い照明器具１０を得ることができる。
【００４１】
また、照明器具１０によれば、補機移動手段２１を切換え作動させることにより、ランプソケット１７およびランプ支持部品１８，１９，２０を定格電力の異なる複数の蛍光灯１２，１３、１４，１５に適宜合わせて配置することができる。
これにより、単一構造で、定格電力、形状等、種類の異なる蛍光灯１２，１３、１４，１５を適合負荷とすることができ、使用者が所望の電力、効率、ランプコスト等にあわせて使用する蛍光灯１２，１３、１４，１５を自由に選択することができる。
【００４２】
そして、照明器具１０によれば、外径の小さい環状の第２型蛍光灯１４，１５を取り付けた際、中心に配置した放電灯点灯装置１６の陰影が大きくなって点灯中の照明器具１０におけるランプイメージ悪化につながることがなくなり、ランプイメージの悪化を抑制することができる。
【００４３】
さらに、照明器具１０によれば、天井面７１に配置されている引掛シーリングに受電接続される一対の引掛刃４４をケース４２の外郭に備えることにより、放電灯点灯装置１６を環状の蛍光灯１２，１３、１４，１５の中心に配置しても照明器具１０の取付け時等の施工性を阻害することがない。
【００４４】
なお、前記一実施形態で使用した器具本体１１、蛍光灯１２，１３、１４，１５、ランプソケット１７、ランプ支持部品１８，１９，２０、グローブ２３等は例示したものに限定するものではなく適宜変更が可能である。
【図面の簡単な説明】
【００４５】
【図１】本発明に係る一実施形態の照明器具の縦断面図
【図２】図１の照明器具の底面図
【図３】図２の照明器具の放電灯点灯装置周りの縦断面図
【図４】図１の照明器具の放電灯点灯回路部の外観図
【図５】図１の照明器具の放電灯点灯装置の斜め下方から視た外観図
【図６】図５の放電灯点灯装置の斜め上方から視た外観図
【図７】図１の照明器具の第２型蛍光灯を適用する際の縦断面図
【図８】図７の照明器具の底面図
【図９】図７の照明器具の放電灯点灯装置周りの縦断面図
【図１０】図７の照明器具の好ましくない陰影を説明する放電灯点灯装置周りの縦断面図
【図１１】図４の放電灯点灯回路部の変形例の外観図
【図１２】図１１の放電灯点灯装置の外観図
【符号の説明】
【００４６】
１０  照明器具
１１  器具本体
１２  第１型蛍光灯（放電灯）
１３  第１型蛍光灯（放電灯）
１４  第２型蛍光灯（放電灯）
１５  第２型蛍光灯（放電灯）
１６  放電灯点灯装置
１７  ランプソケット
１８  ランプ支持部品
１９  ランプ支持部品
２０  ランプ支持部品
２１  補機移動手段
２２  点灯装置移動手段
３０  第１プリント基板（プリント基板）
３６  電子部品
３７  放電灯点灯回路部
４２  ケース
４４  引掛刃
７１  天井面
【図１】
2010027566.tif 000003
【図２】
2010027566.tif 000004
【図３】
2010027566.tif 000005
【図４】
2010027566.tif 000006
【図５】
2010027566.tif 000007
【図６】
2010027566.tif 000008
【図７】
2010027566.tif 000009
【図８】
2010027566.tif 000010
【図９】
2010027566.tif 000011
【図１０】
2010027566.tif 000012
【図１１】
2010027566.tif 000013
【図１２】
2010027566.tif 000014